(57)【要約】【課題】カウンターをキャビネットに簡単に、作業性よく取付けることのできるカウンターの取付け構造を提供する。【解決手段】カウンターＢをキャビネットＡに取付ける構造であって、該キャビネットＡの左右側板１、２上端部それぞれの外側をＬ字型に切り欠いて左右起立部１１、２１と左右水平面１２、２２とを形成し、該左右起立部１１、２１の幅方向に複数の係合溝部１１１、２１１を凹設するとともに、上記カウンターＢの左右に垂設された脚部３、４の内側裏面に上記係合溝部１１１、２１１と略同じ間隔で複数のリブ３１、４１を設け、上記リブ３１、４１を係合溝部１１１、２１１に嵌合して位置決めし、上記左右脚部３、４の底面３２、４２を上記左右水平面１２、２２に載置してなるカウンターの取付け構造。【選択図】図１
2007215637.tif 000002
【特許請求の範囲】
【請求項１】
カウンターをキャビネットに取付ける構造であって、該キャビネットの左右側板上端部それぞれの外側をＬ字型に切り欠いて左右起立部と左右水平面とを形成し、該左右起立部の幅方向に複数の係合溝部を凹設するとともに、上記カウンターの左右に垂設された脚部の内側裏面に上記係合溝部と略同じ間隔で複数のリブを設け、上記リブを係合溝部に嵌合して位置決めし、上記左右脚部の底面を上記左右水平面に載置してなるカウンターの取付け構造。
【請求項２】
上記キャビネットの左右側板上端部に設けられた左右水平面と上記カウンターの左右脚部の底面とを両面粘着テープで粘着、固定してなる請求項１に記載のカウンターの取付け構造。
【請求項３】
上記カウンターが洗面化粧台の洗面ボウルである請求項１に記載のカウンターの取付け構造。
【発明の詳細な説明】
【技術分野】
【０００１】
本発明は、カウンターの取付け構造に関する。さらに詳しくは、流し台や洗面化粧台等のトップに用いられるカウンターをキャビネットに取付ける構造に関する。
【背景技術】
【０００２】
従来、各種のカウンターをキャビネットに取付ける方法に関しては両面粘着テープや接着剤を用いて固定し、取付ける方法、あるいは予めキャビネットの側板に固定した逆Ｌ字型の金具をカウンターの裏面に接着した木片にネジ止めして固定する方法等が知られている。また、下記特許文献１には、１種類のカウンタートップで、流し台や洗面化粧台等のキャビネット本体の各種間口寸法に適合するように切断可能とされたキャビネット用カウンタートップ構造が提案されている。
【特許文献１】特開２００５−１２４８０７号公報（第１〜３頁、第７図）
【発明の開示】
【発明が解決しようとする課題】
【０００３】
上記カウンターとキャビネットとは通常、別々に梱包され、作業現場で取付け作業を行うことが多い。しかしながら、上記した公知技術においては、カウンターをキャビネットに取付ける際、左右バランスよく位置決めを行うことは困難であり、取付け位置にズレが生じたり、取付け作業に手間がかかる等、作業性は必ずしもよくないという問題がある。本発明はこのような問題を解決して、カウンターをキャビネットに簡単に、作業性よく取付けることのできるカウンターの取付け構造を提供することを、その課題とする。
【課題を解決するための手段】
【０００４】
上記課題を解決するために、本発明においては、つぎのような技術的手段を講じている。すなわち、請求項１に記載の発明によれば、カウンターをキャビネットに取付ける構造であって、該キャビネットの左右側板上端部それぞれの外側をＬ字型に切り欠いて左右起立部と左右水平面とを形成し、該左右起立部の幅方向に複数の係合溝部を凹設するとともに、上記カウンターの左右に垂設された脚部の内側裏面に上記係合溝部と略同じ間隔で複数のリブを設け、上記リブを係合溝部に嵌合して位置決めし、上記左右脚部の底面を上記左右水平面に載置してなるカウンターの取付け構造が提供される。
【０００５】
請求項２に記載のカウンターの取付け構造は、請求項１に記載の発明に加えて、上記キャビネットの左右側板上端部に設けられた左右水平面と上記カウンターの左右脚部の底面とを両面粘着テープで粘着、固定することが好ましい。
【０００６】
請求項３に記載のカウンターの取付け構造は、請求項１に記載の発明に加えて、上記カウンターが洗面化粧台の洗面ボウルであることが好ましい。この洗面ボウルは通常、陶器製とされる。
【発明の効果】
【０００７】
請求項１に記載の発明にかかるカウンターの取付け構造は上記のとおりであり、キャビネットの左右側板上端部それぞれの外側をＬ字型に切り欠いて左右起立部と左右水平面とを形成し、該起立部の幅方向に複数の係合溝部を凹設するとともに、カウンターの左右に垂設された脚部の内側裏面に上記係合溝部と略同じ間隔で複数のリブを設け、上記リブを係合溝部に嵌合して位置決めするため、カウンター載置の際の前後の位置合わせは上記リブを係合溝部に嵌合させるだけで容易に、左右バランスよく行うことができる。また、カウンター自体は左右に垂設された脚部を介してキャビネットの左右側板によって支持されるため、上記係合溝部にカウンターの重さが直接かかることはない。その結果、上記係合溝部が欠けたり、毀れたりすることがないため、洗面化粧台の品質を損なわずに組み立てることができる。
【０００８】
請求項２に記載のカウンターの取付け構造は上記のとおりであり、請求項１のカウンターの取付け構造の有する効果に加え、上記キャビネットの左右側板上端部に設けられた左右水平面と上記左右脚部の底面とがそれぞれ両面粘着テープで粘着、固定されるため、カウンターの取付け位置の前後左右へのズレを防止するとともに、ガタつくことがなくしっかりと、カウンターをキャビネットに取付けることができる。
【０００９】
請求項３に記載のカウンターの取付け構造は上記のとおりであり、請求項１のカウンターの取付け構造の有する効果に加え、上記カウンターを洗面化粧台の洗面ボウルとすることにより、通常、陶器製で重量のある洗面ボウルをキャビネットの上に簡単に左右のバランスよく取付けることが可能となり、洗面ボウルとキャビネットとを別々に梱包して輸送された現場で作業性よく洗面化粧台を組み立てることができる。
【発明を実施するための最良の形態】
【００１０】
以下、本発明の実施形態について図面を参照して詳細に説明する。図１は本発明にかかるカウンターの取付け構造を洗面化粧台に適用した実施例を示す分解斜視図である。図２は図１に示すカウンターの取付け構造の要部を示す部分斜視図である。図１に示すように、上記洗面化粧台はカウンターとしての洗面ボウルＢとキャビネットＡとを別々に梱包して輸送され、作業現場において取付ける構造とされている。
【００１１】
図１に示すように、キャビネットＡの左側板１および右側板２の上端部の外側はそれぞれＬ字型に切り欠かれ、左起立部１１と左水平面１２および右起立部２１と右水平面２２とを形成し、左右起立部１１、２１には左係合溝部１１１と右係合溝部２１１が凹設されている。また、キャビネットＡは上記左側板１と右側板２との間に補強部５を架設することにより補強されている。
【００１２】
図２に示すように、陶器製の洗面ボウルＢの左脚部３の内側裏面には、上記キャビネットＡの左側板１の左起立部１１に凹設された複数の左係合溝部１１１と略同じ間隔で複数の左リブ３１が洗面ボウルＢと一体的に形成されている。上記したように、左リブ３１と左係合溝部１１１とは略同じ間隔で設けられているため、前後の位置合わせは上記左リブ３１を左係合溝部１１１に嵌合させるだけで容易に行うことができる。
【００１３】
図３は洗面ボウルＢの左右脚部３、４の内側裏面に設けられた左リブ３１と右リブ４１とをキャビネットＡの左右側板１、２の上端部に設けられた左係合溝部１１１と右係合溝部２１１とに嵌合する状態を示す部分正断面図である。位置決めは、上記左右リブ３１、４１を左右係合溝部１１１、２１１に嵌合して行われるとともに、洗面ボウルＢの左脚部３の底面３２は左側板１の上端部に設けられた水平面１２に載置され、同様に右脚部４の底面４２は右側板２の上端部に設けられた水平面２２に載置される。したがって、洗面ボウルＢ自体は左右脚部３、４を介して左右側板１、２によって支持されるため、左右係合溝部１１１、２１１には洗面ボウルＢの重さがかからず、欠けたり、毀れたりすることはない。その結果、洗面化粧台の品質を損なうことなく容易に組み立てることができる。
【００１４】
図４は上記左水平面１２と左脚部３の底面３２との間および右水平面２２と右脚部４の底面４２との間に両面粘着テープ６を介在させ、粘着、固定した状態を示す部分正断面図である。両面粘着テープ６を介在させることにより、洗面ボウルＢの前後左右へのズレを防止するとともに、ガタつくことなくしっかりと、洗面ボウルＢをキャビネットＡに取付けることができる。このように本発明は種々設計変更可能であり、本発明の特許請求の範囲を逸脱しない限りいずれも本発明の技術的範囲に含まれる。
【図面の簡単な説明】
【００１５】
【図１】本発明にかかるカウンターの取付け構造を洗面化粧台に適用した実施例を示す分解斜視図である。
【図２】図１に示すカウンターの取付け構造の要部を示す部分斜視図である。
【図３】洗面ボウルの左右脚部の内側裏面に設けられた左右リブをキャビネットの左右側板の上端部に設けられた左右係合溝部に嵌合する状態を示す部分正断面図である。
【図４】洗面ボウルの左右脚部の底面と左右側板の上端部に設けられた左右水平面との間に両面粘着テープを介在させ、粘着、固定した状態を示す部分正断面図である。
【符号の説明】
【００１６】
Ａ          キャビネット
Ｂ          洗面ボウル
１          左側板
１１        左起立部
１１１      左係合溝部
１２        左水平面
２          右側板
２１        右起立部
２１１      右係合溝部
２２        右水平面
３          左脚部
３１        左リブ
３２        底面
４          右脚部
４１        右リブ
４２        底面
５          補強部
６          両面粘着テープ
【図１】
2007215637.tif 000003
【図２】
2007215637.tif 000004
【図３】
2007215637.tif 000005
【図４】
2007215637.tif 000006